(57)【要約】【課題】  増設給紙装置機内騒音の底面開口部からの漏洩を抑えると同時に粉塵等から画像形成装置本体内部を保護する。【解決手段】  画像形成装置本体１に増設給紙装置２を設置する際、自動的に画像形成装置本体の給紙カセット開口部は開放され、給紙動作に支障なく、最下段に設置した増設給紙装置の給紙カセット開口部は閉塞したままであるため機内騒音の底面開口部からの漏洩を防止でき、粉塵等から本体内部を保護可能となる。【選択図】  図１
2006056657.tif 000002
【特許請求の範囲】
【請求項１】
画像形成部と記録紙収納部を有する第１給紙カセットと該記録紙収納部に収納された記録紙を一枚ずつ分離給送する給紙機構とを有する画像形成装置本体と、該画像形成装置本体下部に１台または複数台着脱可能で、記録紙収納部を有する第２給紙カセットと該記録紙収納部に収納された記録紙を一枚ずつ分離給送する給紙機構とを有する増設給紙装置において、前記第１給紙カセット及び第２給紙カセットに、下部もしくは最下部に設置された前記増設給紙装置から給送された記録紙を上部に位置する前記画像形成装置本体へ搬送するためのガイド部である搬送路及び搬送路開口部を設けるとともに前記搬送路開口部を開閉可能なシャッタ部材を設け、前記画像形成装置本体に前記増設給紙装置が取り付けられていない場合は前記第1給紙カセットの開口部を閉じ、前記増設給紙装置の下部に別の増設給紙装置が取り付けられていない場合は前記第2給紙カセットの開口部を閉じ、前記画像形成装置本体に前記増設給紙装置が取り付けられると前記第1給紙カセットの開口部を開き、前記増設給紙装置の下部に別の増設給紙装置が取り付けられると前記第2給紙カセットの開口部を開く開閉機構を設けたことを特徴とする画像形成装置。
【請求項２】
前記開閉機構は前記シャッタ部材に設けられた突起形状と、下部に前記増設給紙装置装が取り付いていない場合にシャッタ部材を開口部閉塞方向へ附勢するバネ部材と、前記増設給紙装置に設けられた斜面を有する突起形状と、からなることを特徴とする請求項１に記載の画像形成装置。
【請求項３】
画像形成部と記録紙収納部を有する第１給紙カセットと該記録紙収納部に収納された記録紙を一枚ずつ分離給送する給紙機構とを有する画像形成装置本体と、該画像形成装置本体下部に１台または複数台着脱可能で、記録紙収納部を有する第２給紙カセットと該記録紙収納部に収納された記録紙を一枚ずつ分離給送する給紙機構とを有する増設給紙装置において、前記第１給紙カセット及び第２給紙カセットに、下部もしくは最下部に設置された前記増設給紙装置から給送された記録紙を上部に位置する前記画像形成装置本体へ搬送するためのガイド部である搬送路及び搬送路開口部を設けるとともに前記搬送路開口部を開閉可能なシャッタ部材を設け、前記増設給紙装置の前記画像形成装置本体への着脱を検知する検知手段と、前記給紙カセット1及び前記給紙カセット2の有無を検知する検知手段と、シャッタの開閉を行うシャッタ開閉機構及び開閉制御手段とを有することを特徴とする画像形成装置。
【請求項４】
前記画像形成装置本体に前記増設給紙装置が取り付けられていない場合は前記第1給紙カセットの開口部を閉じ、前記増設給紙装置の下部に別の増設給紙装置が取り付けられていない場合は前記第2給紙カセットの開口部を閉じ、前記画像形成装置本体に前記増設給紙装置が取り付けられると前記第1給紙カセットの開口部を開き、前記増設給紙装置の下部に別の増設給紙装置が取り付けられると前記第2給紙カセットの開口部を開く、またいずれの場合も給紙カセットが所定の位置に無い場合はシャッタを閉じる制御を行うことを特徴とする請求項３に記載の画像形成装置。
【請求項５】
増設給紙装置から記録紙を給紙する際にのみ、画像形成装置の第1給紙カセット及び該増設給紙装置の上方に位置する増設給紙装置の第2給紙カセットの開口部を開放することを特徴とする請求項３に記載の画像形成装置。
【請求項６】
給紙動作をさせようとする増設給紙装置より上方に位置する第２給紙カセットの少なくとも１つが増設給紙装置の所定の位置にない、または第１給紙カセットが画像形成装置本体の所定の位置にないと検知した場合に給紙動作を禁止することを特徴とする請求項３乃至請求項５のいずれか１項に画像形成装置。
【発明の詳細な説明】
【技術分野】
【０００１】
本発明は複写機、プリンタ、ファクシミリ、ＭＦＰ等の画像形成装置に関する。
【背景技術】
【０００２】
従来画像形成装置の中には画像形成装置本体に複数の用紙収納部及び給紙装置を備え、選択的に複数種類の記録紙が使用可能なものがある。
【０００３】
しかしながら複数の記録紙収納部を必要としないユーザーにとっては本体価格が高価になるため好ましくないため、オプションとして画像形成装置本体に設置可能な、記録紙収納部及び記録紙給紙機構を備えた増設給紙装置を設定することで装置本体価格の低減を図るものがある。
【０００４】
この種の増設給紙装置が設置可能な画像形成装置では例えば図9に示すように画像形成装置本体90に設置されている給紙カセット91に、増設給紙装置92から給送された記録紙が画像形成装置本体90の画像形成部に搬送される為の搬送路の開口部93が設けられている。同様に増設給紙装置92も複数台設置可能なため、増設給紙装置に設置されている給紙カセット94にも開口部95が設けられている（例えば、特許文献１参照）。
【特許文献１】特公平04-27138号公報
【発明の開示】
【発明が解決しようとする課題】
【０００５】
しかしながら増設給紙装置を必要としないユーザーは画像形成装置本体に設置されている給紙カセットの搬送路の底面開口部903は開放したままである。また、増設給紙装置を１台もしくは複数台設置した場合も最下部に位置する増設給紙ユニットに設置されている給紙カセットの底面開口部905は開放したままである。
【０００６】
それにより画像形成装置本体もしくは増設給紙装置のモータ及びギヤの駆動音や衝撃音、記録紙の搬送音等さまざまな機内騒音が前記開口部903または開口部905から外部に漏洩する。また前記開口部903、または開口部905より粉塵等が画像形成装置本体内部に入り込み画像品質を劣化させる恐れがある。
【０００７】
そこで本発明の目的は画像形成装置本体及び増設給紙装置機内騒音の底面開口部からの漏洩を抑えると同時に粉塵等から画像形成装置本体内部を保護することにある。
【課題を解決するための手段】
【０００８】
上記目的を達成するための本発明は、画像形成部と記録紙収納部を有する第１給紙カセットと該記録紙収納部に収納された記録紙を一枚ずつ分離給送する給紙機構とを有する画像形成装置本体と、該画像形成装置本体下部に１台または複数台着脱可能で、記録紙収納部を有する第２給紙カセットと該記録紙収納部に収納された記録紙を一枚ずつ分離給送する給紙機構とを有する増設給紙装置において、前記第１給紙カセット及び第２給紙カセットに、下部もしくは最下部に設置された前記増設給紙装置から給送された記録紙を上部に位置する前記画像形成装置本体へ搬送するためのガイド部である搬送路及び搬送路開口部を設けるとともに前記搬送路開口部を開閉可能なシャッタ部材を設け、前記画像形成装置本体に前記増設給紙装置が取り付けられていない場合は前記第1給紙カセットの開口部を閉じ、前記増設給紙装置の下部に別の増設給紙装置が取り付けられていない場合は前記第2給紙カセットの開口部を閉じ、前記画像形成装置本体に前記増設給紙装置が取り付けられると前記第1給紙カセットの開口部を開き、前記増設給紙装置の下部に別の増設給紙装置が取り付けられると前記第2給紙カセットの開口部を開く開閉機構を設けた事を特徴とする。
【０００９】
上記構成により、画像形成装置本体及び増設給紙装置機内騒音の底面開口部からの漏洩を抑えると同時に粉塵等から画像形成装置本体内部を保護でき、安定した画像供給が可能になる。
【００１０】
また、本発明は、前記開閉機構は前記シャッタ部材に設けられた突起形状と、下部に前記増設給紙装置装が取り付いていない場合にシャッタ部材を開口部閉塞方向へ附勢するバネ部材と、前記増設給紙装置に設けられた斜面を有する突起形状と、からなることを特徴とする。
【００１１】
上記構成により、安価に画像形成装置本体及び増設給紙装置機内騒音の底面開口部からの漏洩を抑えると同時に粉塵等から画像形成装置本体内部を保護でき、安定した画像供給が可能になる。
【００１２】
また、本発明は 、画像形成部と記録紙収納部を有する第１給紙カセットと該記録紙収納部に収納された記録紙を一枚ずつ分離給送する給紙機構とを有する画像形成装置本体と、該画像形成装置本体下部に１台または複数台着脱可能で、記録紙収納部を有する第２給紙カセットと該記録紙収納部に収納された記録紙を一枚ずつ分離給送する給紙機構とを有する増設給紙装置において、前記第１給紙カセット及び第２給紙カセットに、下部もしくは最下部に設置された前記増設給紙装置から給送された記録紙を上部に位置する前記画像形成装置本体へ搬送するためのガイド部である搬送路及び搬送路開口部を設けるとともに前記搬送路開口部を開閉可能なシャッタ部材を設け、前記増設給紙装置の前記画像形成装置本体への着脱を検知する検知手段と、前記給紙カセット1及び前記給紙カセット2の有無を検知する検知手段と、シャッタの開閉を行うシャッタ開閉機構及び開閉制御手段とを有することを特徴とする。
【００１３】
上記構成により、確実に画像形成装置本体及び増設給紙装置機内騒音の底面開口部からの漏洩を抑えると同時に粉塵等から画像形成装置本体内部を保護でき、安定した画像供給が可能になる。
【００１４】
また、本発明は、前記画像形成装置本体に前記増設給紙装置が取り付けられていない場合は前記第1給紙カセットの開口部を閉じ、前記増設給紙装置の下部に別の増設給紙装置が取り付けられていない場合は前記第2給紙カセットの開口部を閉じ、前記画像形成装置本体に前記増設給紙装置が取り付けられると前記第1給紙カセットの開口部を開き、前記増設給紙装置の下部に別の増設給紙装置が取り付けられると前記第2給紙カセットの開口部を開く、またいずれの場合も給紙カセットが所定の位置に無い場合はシャッタを閉じる制御を行うことを特徴とする。
【００１５】
上記構成により、シャッタの開閉動作が給紙カセットの操作力に影響を与えず、安定した給紙カセット操作力を得ることができる。
【００１６】
また、本発明は、増設給紙装置から記録紙を給紙する際にのみ、画像形成装置の第1給紙カセット及び該増設給紙装置の上方に位置する増設給紙装置の第2給紙カセットの開口部を開放することを特徴とする。
【００１７】
上記構成により、画像形成装置本体機内騒音及び増設給紙装置機内騒音の外部への漏洩をより減少することが可能になり、また給紙動作時以外の機内騒音の外部への漏洩を大幅に抑えることが可能となる。
【００１８】
また、本発明は、給紙動作をさせようとする増設給紙装置より上方に位置する第２給紙カセットの少なくとも１つが増設給紙装置の所定の位置に無い、または第１給紙カセットが画像形成装置本体の所定の位置に無いと検知した場合に給紙動作を禁止することを特徴とする。
【００１９】
上記構成により、ガイド部材に案内されずに搬送される記録紙の紙先端ダメージや、紙詰まり等の搬送不具合を防止できる。
【発明の効果】
【００２０】
以上説明したように、本発明によれば、給紙カセットの搬送路開口部に開閉可能なシャッタ部材を設け、前記画像形成装置本体に前記増設給紙装置が取り付けられていない場合に前記給紙カセットの開口部を閉じることで、増設給紙装置未装着時における画像形成装置本体機内騒音の前記開口部からの漏洩を抑えると同時に粉塵等から画像形成装置本体内部を保護でき、安定した画像供給が可能になる。
【００２１】
また前記シャッタ部材に突起形状を設け、下部に前記増設給紙装置装が取り付いていない場合にシャッタ部材を開口部閉塞方向へ附勢するバネ部材と、前記増設給紙装置に設けられた斜面を有する突起形状とを設けることにより、前記開口部の開閉を安価に行うことが可能になる。
【００２２】
さらにそれらシャッタ開閉機構をカセット有無検知や増設給紙装置有無検知や給紙動作とリンクして制御することで確実に、増設給紙装置から記録紙を給紙する際にのみ、画像形成装置の第1給紙カセット及び該増設給紙装置の上方に位置する増設給紙装置の第2給紙カセットの開口部を開放することを特徴とする。
【００２３】
上記構成により、画像形成装置本体機内騒音及び増設給紙装置機内騒音の外部への漏洩をより減少することが可能になり、また給紙動作時以外の機内騒音の外部への漏洩を大幅に抑えることが可能となる。
【００２４】
また給紙動作をさせようとする増設給紙装置より上方に位置する第２給紙カセットの少なくとも１つが増設給紙装置の所定の位置に無い、または第１給紙カセットが画像形成装置本体の所定の位置に無いと検知した場合に給紙動作を禁止することで、ガイド部材に案内されずに搬送される記録紙の先端へのダメージや、紙詰まり等の搬送不具合を確実に防止できる。
【発明を実施するための最良の形態】
【００２５】
以下に本発明の実施の形態を図に基づいて説明する。
【００２６】
（第１の実施の形態）
以下に本発明に係る画像形成装置の第１の実施の形態について説明する。
【００２７】
図１は本発明の第1の実施の形態に係る画像形成装置の全体構成を示す断面図、図２は、本発明の第1の実施の形態に係る画像形成装置の画像形成装置本体と増設給紙装置との構成を示す斜視図、図３〜図５はそれぞれ本発明の第1の実施の形態に係る画像形成装置の画像形成装置本体と増設給紙装置との離間時の動作を示す動作説明図、装着途中の動作を示す動作説明図、装着後の構成図である。
【００２８】
まず図1を元に本発明の第１の実施の形態の全体構成について説明する。
【００２９】
図1に示すとおり、画像形成装置本体1の下部に増設給紙装置2が装着されている。また前記画像形成装置本体1内の下部に記録紙Ｓ1を載置した給紙カセット10が、前記増設給紙装置2内に記録紙S2を載置した給紙カセット20が位置する。
【００３０】
前記給紙カセット10内には、記録紙Ｓ1が多数枚積載可能である中板101が支点を軸に回動可能で、コイルバネ102により給紙ローラ103方向へ押し上げられるように配置されている。また給紙ローラ103により複数枚同時に給紙された記録紙Ｓ1を一枚ずつに分離する分離パッド104、分離パッドを給紙ローラ103方向へ押圧する分離パッドバネ105を備える。また下方に位置する増設給紙装置から送られてくる記録紙S2を画像形成装置本体内部へ案内する搬送路110及び該搬送路110の開口部111と該開口部111を開閉可能にするシャッタ部材901、常に前記シャッタ部材を閉塞方向に附勢するバネ部材902を備える。
【００３１】
同様に前記増設給紙装置内に設置される前記給紙カセット20内には、記録紙S2が多数枚積載可能である中板201が支点を軸に回動可能で、コイルバネ202により給紙ローラ203方向へ押し上げられるように配置されている。また給紙ローラ203により複数枚同時に給紙された記録紙Ｓ2を一枚ずつに分離する分離パッド204、分離パッドを給紙ローラ203方向へ押圧する分離パッドバネ205を備える。また該増設給紙装置の下方に更に図示しない別の増設給紙装置を装着した際、該下部に設置した図示しない増設給紙装置から送られた記録紙を画像形成装置本体内部へ案内する搬送路210及び該搬送路210の開口部211と該開口部211を開閉可能にするシャッタ部材904、常に前記シャッタ部材904を閉塞方向に附勢するバネ部材905を備える。更に増設給紙装置2には上記給紙カセット20の中板201に載置されている記録紙Ｓ2を最上位の記録紙から順に送り出す給紙ローラ203、上記分離パッド204によって分離された記録紙S2もしくは図示しない下方に位置する別の増設給紙装置から送られた記録紙を上記画像形成装置本体１へ搬送する搬送ローラ対206、上記画像形成装置本体１の下部に該増設給紙装置2を装着する際、上記画像形成装置本体１の給紙カセット10に開閉可能に設置された上記シャッタ部材901の一部に接触し、該シャッタ部材901を開放方向に移動させる突起部903等を有する。
【００３２】
また画像形成装置本体1は、増設給紙装置2から送られてきた記録紙S2を給紙カセット10の中板101に載置されている記録紙Ｓ1を最上位の記録紙から順に送り出す上記給紙ローラ103、上記分離パッド104によって分離された記録紙S1もしくは増設給紙装置2より送り出された記録紙S2を搬送する搬送ローラ対106、さらに記録紙S1もしくは記録紙S2の搬送方向を変えるためにUターンさせる第1搬送路107、記録紙S1もしくは記録紙S2の斜行を矯正するレジストローラ対108、レーザー照射と記録紙搬送の同期をとるレジストセンサー109、手差マルチ給紙ユニット300、さらには、表面に感光層を形成する感光ドラム401、導電ローラからなる帯電ローラ402、現像ローラ403を有する現像手段、等の画像形成手段から成るプロセスユニット400、感光ドラム401へ画像データを変換したレーザー光を照射するレーザースキャナーユニット500、感光ドラム401上のトナー潜像を記録紙S1もしくは記録紙S2上に転写させる転写ローラ601、熱源を持つ加熱ユニット701と加圧ローラ702からなる定着ユニット700、転写後の記録紙S1もしくは転写後の記録紙S2を前記定着ユニット700へ搬送する搬送ベルト602、定着ユニット700から記録紙S1もしくは記録紙S2を装置本体外へ搬送・排出する搬送ローラ対801及び排紙ローラ対802、排出された記録紙S1もしくは記録紙S2を積載する排紙トレイ803等を有する。
【００３３】
次に本発明における画像形成装置の増設給紙装置からの給紙による動作説明をする。
【００３４】
図示しないホストコンピュータから送られた画像信号により画像形成装置本体1に設けられたレーザースキャナーユニット500からレーザー光をあらかじめ帯電ローラ402により帯電された感光ドラム401上に照射することで感光ドラム表面に静電潜像を形成する。次いで現像ローラ403上のトナーにより感光ドラム401表面の静電潜像を現像し、トナー像を形成する。
【００３５】
一方、給紙カセット20内ではコイルバネ202の力で中板201に載置されている記録紙Ｓ2が給紙ローラ203に押圧されており、給紙ローラ203が図１において反時計回りに回転することにより、給紙ローラ203に当接した記録紙S2の上部付近数枚の記録紙S2'は、給紙ローラ203により送り出されると同時に、分離パッド204により給紙ローラ203に当接するシートS2'のみの１枚に分離され、突起903によりシャッタ901が開放された上方の給紙カセット10の開口部111から搬送路110へ搬送ローラ対206により搬送される。
【００３６】
搬送ローラ対206によって搬送された記録紙S2'は更に画像形成装置本体１内の搬送ローラ対106により回転停止中のレジストローラ対108のニップに突き当たって所定のループが形成されることにより、斜行状態が矯正される。
【００３７】
斜行状態が矯正された記録紙S2'は、レジストローラ対108の搬送方向下流側に位置するレジストセンサー109を通過することで記録紙S2'の先端位置と露光光源であるレーザースキャナ500の発光タイミングを同期させ、感光ドラム401上のトナー像を記録紙S2'上の所定位置から画像の描き出し、転写ローラ601により記録紙S2'に転写され、搬送ベルト602を経て定着ユニット700で加熱・加圧されることにより永久固定画像となり、排紙ローラ対801、802によりトレイ803上に排紙、積載される。
【００３８】
次に図２〜図５を元に画像形成装置本体へ増設給紙装置を取り付ける際のシャッタ部材の動作説明を行う。尚、既に図１で示した部材については同じ記号を用い、説明は省略する。
【００３９】
図２に示す通り、画像形成装置本体１の底面に設置された位置決め穴907に、それぞれ対応する増設給紙装置２の天面に設置された位置決めピン906の位置を合わせて挿入する。
【００４０】
増設給紙装置２に設置した突起903に画像形成装置本体１の給紙カセット10に開閉自在に設置されているシャッタ901の一部が接触するまでシャッタ901は開口部111（図１参照）を閉鎖している。さらに位置決めピン906を画像形成装置本体下部の位置決め穴907に挿入すると突起903の斜面903aに沿ってシャッタ901が図４の矢印A方向に移動し、所定の位置まで完全に挿入されると図５に示す通りシャッタが完全に開放する。また同時に図示しない駆動及び電装コネクタも連結される。
【００４１】
図５のように完全に画像形成装置本体１に増設給紙装置２が設置された後、給紙カセット10を矢印B方向へ引き抜く際、シャッタ901はバネ902により図6のように開口部111を閉鎖する方向へ移動する。また画像形成装置本体１外より給紙カセット10を矢印B方向と逆方向へ挿入した場合、シャッタ901の突起901aが増設給紙装置2の突起部903の面903bに当接し、シャッタ901が開口部111を開放する方向に押し広げられ図５の位置まで戻る。
【００４２】
上記の通り画像形成装置本体１に増設給紙装置２を設置する際、自動的に画像形成装置本体の給紙カセット開口部は開放され、給紙動作に支障なく、最下段に設置した増設給紙装置の給紙カセット開口部は閉塞したままであるため機内騒音の底面開口部からの漏洩を防止でき、粉塵等から本体内部を保護可能となる。
【００４３】
ここでは増設給紙装置を１台のみ記載したが、２台以上の複数台を連結しても同様である。その場合際下段に設置された増設給紙装置の給紙カセットのみ開口部はシャッタにより閉塞される。
【００４４】
またここでは画像形成装置としてレーザービームプリンタを例に説明したが、本発明はレーザープリンタに限定されるものではなく、一般的にシート部材を記録紙とし、画像形成装置本体に別の給紙装置が増設可能な画像形成装置全てに適用可能である。また画像形成方式としてはここで説明する電子写真方式以外にインク噴射方式、熱転写方式、ドットインパクト方式等でもよい。
【００４５】
（第２の実施の形態）
以下に本発明に係る画像形成装置の第２の実施の形態について説明する。尚、ここでは第１の実施の形態との違いのみ述べることにし、その他は省略する。
【００４６】
図7a、図７bは、本発明の第２実施の形態に係る画像形成装置の構成及び動作を示す簡略図である。また図8（a）〜（c）は本発明に係る第２実施の形態の各動作時のフローチャートである。
【００４７】
前述の第1の実施の形態においてはシャッタの突起と増設給紙装置の突起の干渉により機械的にシャッタの開閉を行うが、本発明の第2の実施の形態に係る画像形成装置は、図７a、図７bに示す通り、給紙カセットのシャッタ908にラック形状908aを設け、増設給紙装置上面に前述のラック形状908aに噛み合うギヤ909を設置し、それらを図８に示すフローチャートに従って図示しないモータにより前記ギヤ909を直接的または間接的に矢印C方向に回転させることでシャッタ開放、矢印C方向と反対方向に回転させることでシャッタ閉塞動作を行う構成をとる。尚、図示しないが画像形成装置及び増設給紙装置には増設給紙装置設置の有無を検知する増設給紙装置検知手段と給紙カセットが給紙可能な位置に設置されているか否かを検知するカセット有無検知手段を有する。
【００４８】
次に各給紙カセットのシャッタ開閉動作処理及び給紙動作処理について図８のフローチャートを元に説明する。
【００４９】
画像形成装置本体１及び増設給紙装置２の各々について、前述の増設給紙装置検知手段が直下に増設給紙装置が無いと検知した場合、図7ａのようにシャッタを閉じたままにし、直下に増設給紙装置が有ると検知し、尚且つ下方に位置する増設給紙装置より記録紙が給紙される場合にのみシャッタを開放し、下方に位置する増設給紙装置より記録紙が給紙されない場合にはシャッタを閉じたままにする。
【００５０】
以上のように必要なときにのみシャッタを開放することで、機内騒音の外部への漏洩を極力抑えることが可能となる。また粉塵等による機内への汚染も防止できる。
【００５１】
更に上記シャッタを開放した場合においても給紙カセットが所定の位置に有る場合のみ給紙動作を開始し、給紙カセットが所定の位置に無い場合は給紙動作を禁止する処理を行う。
【００５２】
以上の動作処理により給紙カセットが所定の位置に無く、画像形成装置本体への搬送路が遮断されている場合や、搬送路が一部無い場合においても記録紙ダメージや紙詰まり等の不具合を未然に防ぐことができる。
【図面の簡単な説明】
【００５３】
【図１】本発明の第1の実施の形態に係る画像形成装置の全体構成を示す断面図である。
【図２】本発明の第1の実施の形態に係る画像形成装置の画像形成装置本体と増設給紙装置との構成を示す斜視図である。
【図３】本発明の第1の実施の形態に係る画像形成装置の画像形成装置本体と増設給紙装置との離間時の動作を示す動作説明図である。
【図４】本発明の第１の実施の形態に係る画像形成装置の画像形成装置本体と増設給紙装置との装着途中の動作を示す動作説明図である。
【図５】本発明の第１の実施の形態に係る画像形成装置の増設給紙装置装着後の構成図である。
【図６】本発明の第１の実施の形態に係る画像形成装置の増設給紙装置装着後の給紙カセット動作説明図である。
【図７】本発明の第２実施の形態に係る画像形成装置の構成及び動作を示す簡略図である。
【図８】本発明の第２の実施の形態に係る画像形成装置におけるフローチャートである。
【図９】従来の画像形成装置の斜視構成図である。
【符号の説明】
【００５４】
1  画像形成装置本体
2  増設給紙装置
S1、S2、S2'  記録紙
10、20  給紙カセット
103,203  給紙ローラ
108  レジストローラ対
300  手差マルチ給紙ユニット
400  プロセスユニット
500  レーザースキャナーユニット
700  定着ユニット
803  排紙トレイ
901、904、908  シャッタ部材
902、905  バネ部材
903  突起部
906  位置決めピン
907  位置決め穴
【図１】
2006056657.tif 000003
【図２】
2006056657.tif 000004
【図３】
2006056657.tif 000005
【図４】
2006056657.tif 000006
【図５】
2006056657.tif 000007
【図６】
2006056657.tif 000008
【図７】
2006056657.tif 000009
【図８】
2006056657.tif 000010
【図９】
2006056657.tif 000011